(57)【要約】【課題】  粘稠材料を吐出するための吐出銃を提供すること。【解決手段】  吐出銃は、異なる二連銃身カートリッジを同じ装置内に装填して使用可能にする相互交換可能な銃尾を有する。銃尾は、異なるカートリッジ保持銃尾が同じ銃に取り付けられるように、銃から取外し可能である。【選択図】      図１Ｄ
2006043703.tif 000002
【特許請求の範囲】
【請求項１】
粘稠材料を吐出するための吐出銃であって：
本体と；
材料のカートリッジを本体との吐出の関係で保持する第一ホルダにして、本体に取外し可能に固定される第一ホルダと；を具備する、吐出銃。
【請求項２】
第一ホルダが、本体に装着されている間に、カートリッジを本体に対して作動可能位置で整列させる閉鎖位置と、カートリッジの取外し及び／又は挿入のための開放位置との間で移動可能である、請求項１に記載の吐出銃。
【請求項３】
本体が、一対の離間した部材を含み、前記一対の離間した部材が、第一ホルダを本体に取外し可能に固定するために、第一ホルダに係合可能な保持手段を有する、請求項２に記載の吐出銃。
【請求項４】
回動可能な接続手段を含む、請求項３に記載の吐出銃であって、該回動可能な接続手段によって、第一ホルダが、一対の離間した部材の間に固定され、また閉鎖位置と開放位置との間で移動可能にされる、吐出銃。
【請求項５】
回動可能な接続手段が、第一ホルダの両側面上に主ボスを具備し、前記主ボスが、離間した部材の各々に設けられた凹部に係合するように配置構成される、請求項４に記載の吐出銃。
【請求項６】
離間した部材の各々が前記凹部から延在する溝を形成し、該溝によって第一ホルダが本体に取り付け可能に及び本体から取外し可能にされる、請求項５に記載の吐出銃。
【請求項７】
溝と凹部との間の境界部分が、溝内に隆起部を形成する、請求項６に記載の吐出銃。
【請求項８】
主ボスが、凹部に主ボスが係合することを可能にするための面取り部を形成される、請求項７に記載の吐出銃。
【請求項９】
カートリッジの両側面上に更なるボスを含む、請求項７又は８に記載の吐出銃であって、前記更なるボスは、第一ホルダが閉鎖位置と開放位置との間を移動するとき回動可能な接続手段の軸線を中心にして揺動するように配置構成され、更なるボスは、開放位置において転位した回動点を形成するように溝の表面に係合可能であり、前記転位した回動点を中心にした第一ホルダの回転が、各主ボスをそのそれぞれの凹部から離脱させて溝の中に持ち込み、その結果第一ホルダが本体から取り外し可能になる、吐出銃。
【請求項１０】
各主ボスが、凹部からの離脱を可能にする更なる面取り部を形成される、請求項９に記載の吐出銃。
【請求項１１】
第一ホルダが、カートリッジを受容するための開口を形成し、第一ホルダが、カートリッジを第一ホルダ内に装填位置で保持するために、カートリッジの対応する面に係合するための面をさらに形成する、請求項１〜１０のいずれか一項に記載の吐出銃。
【請求項１２】
第一ホルダの前記面が、前記開口を区画形成する面からなる、請求項１１に記載の吐出銃。
【請求項１３】
第一ホルダの前記面が、前記開口の後端を形成する、請求項１２に記載の吐出銃。
【請求項１４】
第一ホルダが戻止めを含み、本体が前記戻止めと協働する陥凹を含み、前記協働する戻止めと陥凹が、第一ホルダを閉鎖位置に保持するために互いに係合する、請求項１〜１０のいずれか一項に記載の吐出銃。
【請求項１５】
請求項１〜１４のいずれか一項に記載の吐出銃を含む部品のセットであって、第一ホルダが、二連銃身カートリッジを保持するように構成され、各銃身が後端と出口端とを有し、該セットは、第一の二連プランジャをさらに含み、該第一の二連プランジャが、銃身の後端に係合して粘稠材料をそれぞれの銃身の出口端から吐出させるように作動可能に本体に対して配置可能である、吐出銃を含む部品のセット。
【請求項１６】
第一ホルダが、銃身サイズの所定の比率又は比率の組に適合するようにされ、部品のセットが、銃身サイズの別の所定の比率又は比率の組に適合するようにされた第二ホルダをさらに含み、該第二ホルダが、吐出銃の本体において第一ホルダと相互交換可能である、請求項１５に記載の部品のセット。
【請求項１７】
第一の二連プランジャと相互交換可能な第二の二連プランジャを含む、請求項１５又は１６に記載の部品のセットであって、前記第一及び第二の二連プランジャの各々は、銃身サイズのそれぞれの比率のためのものである、部品のセット。
【請求項１８】
開口の対向する両側面が異なる曲率で丸みを付けられ、一方の側面が、第一銃身半径比の第一カートリッジの対応する銃身に一致するように丸みを付けられ、他方の側面が、第二銃身半径比の第二カートリッジの対応する銃身に一致するように丸みを付けられる、請求項１１又は１４に記載の吐出銃。
【請求項１９】
請求項１１〜１４のいずれか一項に記載の吐出銃と、カートリッジとを含む吐出銃組立体であって、カートリッジの銃身を横切るカートリッジの横寸法が、開口の対応する横寸法にほぼ等しい、吐出銃組立体。
【発明の詳細な説明】
【技術分野】
【０００１】
本発明は、粘稠材料を吐出するための吐出銃に関するものである。本発明は、特に二連銃身カートリッジ用の吐出銃に適用可能である。
【背景技術】
【０００２】
歯科のセメント充填のような吐出銃の一部の用途では、二つの粘稠材料を同時に吐出する必要性がしばしばあり、前記二つの粘稠材料は、化学反応が混合物の吐出中に生じるように吐出工程の間に混合されるものであり、例えば化学反応によって混合物が硬化する。二元性成分が、化学反応の発生を防ぐために別個のカートリッジ銃身に蓄えられる。銃は、典型的には機械的に駆動されるが、一部の応用例では電気的に又は空気圧で駆動される。
【０００３】
そのような二元性生成物のための市販の二連銃身カートリッジは、プラスチック材料から作られ、また吐出銃の吐出端のスロット内に挿入される矩形の後部保持フランジをもつ。引金レバーを作動することによって、二連プランジャがカートリッジ銃身内に押し込まれる。粘稠材料は、プランジャが押圧する各銃身内のピストンによって出口を通して吐出される。ピストンを前進させるために使用される吐出力は、保持フランジの大きな機械的応力及び／又は銃身内に生じる圧力に起因する各銃身の半径方向の膨張をもたらすことがある。
【０００４】
二連銃身カートリッジ用の典型的な吐出銃では、カートリッジのフランジが挿入されるスロットは、三辺でカートリッジのフランジに係合する。部分的に支持されたフランジに生じる機械的応力は、銃身をその正しい整列から相対移動させることがある。これは、カートリッジ、カートリッジフランジ、及びフランジを保持しているスロットの機械的損耗を増大させる。またそれは吐出作業を実行するのを難しくもする。
【０００５】
この問題は、特許文献１によって対処されており、前記特許文献１は固定フラップを開示しており、前記固定フラップはカートリッジフランジの四辺に係合することにより追加の拘束をカートリッジフランジに提供する。
【０００６】
そのような二元性生成物の正しい使用法は、それらが適正な比率で混合されることを要求する。従って、そのような吐出銃カートリッジは、例えば１：１，２：１，４：１，及び１０：１の銃身直径比率の範囲で利用可能である。銃身プランジャが同一速度で移動されたなら、吐出された成形材料の体積比は、カートリッジの直径の比に従う。使用者が、異なる二元性生成物を使用する必要があるとき、同じ銃が異なるカートリッジ比を受け入れ可能であることが好都合である。しかしながら、これは、フランジとスロットとの間の係合を全てのカートリッジに対して等しく親密にすることができないので、フランジを保持する解決法に不利に作用する。
【０００７】
通常は、フランジは、必要な拘束を提供するためにスロットに嵌合しなければならない。これは、カートリッジと銃との相互交換性を制限する。特許文献１の保持フラップは、これをさらに制限するだけである。
【０００８】
歯科及び他の分野における二元性生成物の小体積の使用では、使用者は少量を使用することを望み、また混合物が比較的頻繁に変わることが典型的である。専用の一連の吐出銃をもつことが可能であるが、これは明らかにコストに関係する。
【０００９】
【特許文献１】欧州特許出願公開第０５４３７７６号明細書
【発明の開示】
【００１０】
本発明の様相が独立請求項に提示され、また追加の特徴が従属請求項に提示される。
【００１１】
本発明の実施例は、取り外し可能なカートリッジホルダを使用するものであり、前記取り外し可能なカートリッジホルダは、銃の残りの部分のどんな部分も分解することなくカートリッジホルダを交換することによって異なるサイズのカートリッジから異なる材料を吐出するように同じ銃が使用されることを可能にする。
【００１２】
本発明の実施例は、カートリッジを収める取外し可能な銃尾を使用してカートリッジを支持する。銃尾は、カートリッジフランジに対する全面的な支持を提供するように形作られていることに加えて、単一銃身カートリッジ及び／又は様々な二連銃身カートリッジの銃身も支持することができる。銃に相互交換可能な銃尾を提供することによって、吐出銃の同じ銃床部分が、適切な銃尾に連結することによって様々なカートリッジと共に使用される。
【００１３】
好適な実施例では、カートリッジホルダは、カートリッジがホルダ内で同様にうまく相互交換可能であるように、二連銃身カートリッジの二つ以上の比率を保持するべく適合させられる。
【００１４】
本発明は、様々な様態で実現可能であり、前記様態の一部が、例示を目的として添付図面を参照しながらここで説明される。
【発明を実施するための最良の形態】
【００１５】
図１ＡからＤは、銃床部分１０と、銃床のサイドアーム１３の間に回動可能に装着される銃尾１２と、銃床の下後部から下方へ延びる取手１４と、取手１４の前で、銃床１０の本体の内部に回動可能に取り付けられた引金レバー１６とを具備する吐出銃を示している。この実施例では、銃のほとんどの構成要素は、ガラス繊維強化プラスチックのような硬質プラスチックから作られている。
【００１６】
一対の平行銃身２０を具備する二連銃身カートリッジ１８が銃尾１２の中に挿入されることが可能である。これをするために、銃尾１２は、閉鎖位置（図１Ａ参照）から開放位置（図１Ｃ参照）へその枢軸を中心にして揺動される。開放位置では、銃尾は、その前端が下を向いてその後部がカートリッジを受容するために開放するように、前方へ蝶番式に動かされる。カートリッジは、それが銃尾内の所定の位置に保持されるように、開放した銃尾の後部を通して挿入され、そのときカートリッジが銃から前方へ延びた状態で、銃尾を閉鎖位置に揺動させて戻すことが可能である。この閉鎖位置で、カートリッジ銃身２０は、銃床に取り付けられ且つ前方に向いた一対のプランジャ２１と整列され、該プランジャ２１は引金レバー１６に接続されたラチェット機構によって駆動される。引金レバー１６を握り締めることによって、プランジャ２１は、カートリッジ銃身２０の後部の中に前進させられて、それぞれの従来型のピストン装置に係合して、銃身内の粘稠材料をそのそれぞれの出口２２から押し出す。図１に示されないが、カートリッジは使用中は取外し可能ミキサーを標準的に取り付けられている。粘稠混合物を作り出す二元性材料は、ミキサーの中に押し込まれ、そこでそれらは単一のノズルを通って吐出される前に混合される。
【００１７】
図２Ａ及びＢを参照すると、銃の銃尾１２が銃床１０から取り外されて示されている。この実施例によると、銃床１０は、異なる比率のカートリッジ銃身のための銃尾として設計されている。各銃尾は同一の銃床に装着可能である。銃尾は、銃が使用されているとき、銃床内の所定の場所に確実に保持されなければならないが、銃尾が比較的容易に取外し可能であることも必要である。但し、銃尾が開放されているときにカートリッジを単純に取外し及び／又は挿入するために、銃尾が銃の残りの部分から完全に外れる性質をもたないことが好ましい。
【００１８】
銃床１０の各サイドアーム１３は、内側の溝２４を形成しており、前記内側の溝２４は、サイドアーム１３の内側の開放している上方部分で始まって、凹部２６へ向かって前方へ降下する経路で続いている。各々の凹部２６は、銃尾１２の対応する各々の側面の円形ボス２８によって係合される。銃尾をサイドアーム１３の間に取り付けるために、銃尾は、ボス２８が溝２４の開口部の上方に存在する状態で下方に向けられる。ボスは開放端から溝に沿って移動する。各凹部２６は、凹部が溝に通じている領域を除いて、比較的深い保持壁３０によって形成されている。凹部と溝との間のこの領域では、凹部は従って比較的浅く、凹部と溝との間に低い隆起部３１を形成する。二次ボス３２が、銃尾の両側面上で、各主ボス２８の下及び後方に位置決めされている。溝内の類似の凹部３４が、各主凹部２６の上後方に配置されている。類似の凹部３４は、カートリッジを銃尾から取り外し及び銃尾に挿入可能であるところの銃尾の開放位置の際に二次ボス３２のための“定位置”を規定する。銃尾の装填又は閉鎖位置では、二次ボスは溝２４内に存在する。
【００１９】
図３Ａ〜Ｄを参照すると、銃尾１２を挿入する際の詳細が示されている。銃尾は、主ボス２８をそれぞれの溝２４の開口部の上方に位置決めした状態で、銃床の二つのアーム１３の上方で下に向けて配置される。銃尾１２は、各主ボスが溝２４に沿って保持壁３０の隆起部３１の縁まで進むように下げられる。各主ボス２８の縁は面取部３６を形成されており、前記面取部３６は、図３Ｃに示された銃尾の位置において、隆起部３１の外側縁に係合しており、またボスが、対応する凹部２６に嵌合するために隆起部を乗り越えることを可能にさせるものである。凹部２６の高い保持壁は、プランジャの吐出力に対抗してボス２８を所定の場所に確実に保持する。銃尾は、そのときアームの凹部２６に完全に係合されている主ボスを中心にして銃尾を回転させることによって閉じられる。銃尾を開放位置と閉鎖位置との間で回転させることは、二次ボスが溝２４内を進むことを許容する。
【００２０】
図１Ｃに示されるように、銃尾の後部の戻止め４０が、銃床の対向する壁のノーズ４２に係合して、装填位置にある銃尾に積極的スナップフィットを提供する。この詳細は、判り易くするために図３Ａ〜Ｄでは省略されている。この実施例では、戻止め４０は、銃床に取り付けられた別個のインサート４３に形成されている。前記インサートは、銃尾を装填位置に確実に保持するための所望の可撓性を提供する。
【００２１】
銃尾１２が装填位置にあるとき、二次ボス３２がそれぞれの溝２４に位置することが判るであろう。図４Ａ〜Ｃを参照すると、銃尾を取外すためには、主ボス２８がそれぞれの隆起部３１を乗り越えて戻ることが必要である。二次ボス３２は銃尾を外す制御された手段を提供する。銃尾を取外すために、銃尾を主ボスを中心に反対方向に回転させることによって、銃尾が主ボス２８を中心に回動するとき、二次ボスは上方へ移動してそれらのそれぞれの凹部３４に入る。
【００２２】
銃尾の継続する回転は、そのとき二次ボス３２を中心にして行われ、銃尾のこの配向において低い隆起部３１と位置が合っている各主ボス上の更なる面取部４４の効力によって各主ボスに隆起部を乗り越えさせる。効果は、銃尾の回動点を主ボスから二次ボスに移すことであり、それによって銃尾の取り外しのために主ボスをそのそれぞれの凹部から外へ運んで溝内に入れるべく押しやる。
【００２３】
この実施例では、異なる銃尾が、異なる比率の二元性粘稠材料を吐出するために提供される。各銃尾は、前述したように、同じやり方で銃床に嵌め込まれるように適合させられる。
【００２４】
同一の吐出銃が異なる比率の二元性カートリッジ材料を取り扱う必要性を説明するために、この実施例は、異なる大きさの銃尾が同一の銃床に使用されることも許容する。図５Ａは、１：１の比率のカートリッジ４６及び２：１の比率のカートリッジ４８を保持することができる第一銃尾１２を示している。異なるカートリッジの銃身は、ほぼ同じ横方向の全体寸法、即ち銃身の直径と各銃身間の間隙とがほぼ同じ寸法に合算された横方向の全体寸法をもつように配置される。図５Ｂは、１：１カートリッジ４６を保持する銃尾を示している。図５Ｃは、２：１カートリッジ４８を保持する同じ銃尾を示している。図６Ａ〜Ｃは、４：１カートリッジ５０と１０：１カートリッジ５２を保持する代替の銃尾１２’を示している。カートリッジの出口ポートは、カートリッジ銃身の横寸法に起因してそれぞれの場合で同一の場所にないことが言及される。従って、プランジャを、使用されるカートリッジ比率に適するように間隔を空けた適切なプランジャに交換することも必要である。１：１及び４：１比率のカートリッジとプランジャとの組合せが図７Ａ及びＢに示される。
【００２５】
各カートリッジは、平坦な前面５６を形成する後部保持フランジ５４を有しており、前記平坦な前面５６は、カートリッジが貫いて延びる開口６０の後部を形成する銃尾の対応する平坦面５８に係合する（図５Ａ及び６Ａを参照）。開口６０は、弓形の第一側面６２を有しており、前記第一側面６２は対向する第二弓形側面６４に比較して大きい半径を形成している。図５Ｂから、１：１カートリッジは等しい大きさの銃身６５を有し、銃身６５の外側半径は銃尾の第二弓形側面６４の半径にほぼ等しいことが見られるであろう。カートリッジは、銃尾開口のほぼ横寸法にわたって広がっている。図５Ｃは２：１カートリッジを装填された同じ銃尾１２を示している。この場合には、大きい方の銃身６６は、銃尾の大きい方の曲率の側面６２の大きさに一致する。小さい方の銃身６７は、開口６０の第二側面６４より小さな半径を有するが、開口６０の横寸法と同じ横寸法を占めるように配置される。両方の場合に、保持フランジ５４の前面５６は、開口６０の外周縁の平坦面に係合させられる。
【００２６】
図６Ｂに示される銃尾及び４：１カートリッジ５０について、カートリッジ銃身６８／６９の両方の各々の側面は、銃尾１２’の対応する面の半径に一致する。１０：１カートリッジ５２は、４：１カートリッジ５０の大銃身に等しい直径の一方の銃身７０と、対応して小さい他方の銃身７２とを有する。１０：１カートリッジは、開口の横寸法の全体にわたって広がっていない。全ての場合において、しかし特に１０：１カートリッジについて、銃尾におけるカートリッジの正しい配向は、開口６０を形成する壁の各々の側面の切欠き部７４によって決定される。この切欠き部７４が保持フランジ５４の側方部分を収容することが見られる。
【００２７】
図７Ａ及びＢに異なるプランジャが示されている。各プランジャは、二つのプランジャロッド７８を形成する主プレート部分７６を具備する。プランジャヘッド８０が各ロッドの前端に形成されている。補剛ウェブ８２が、各ロッド７８の上面に沿って延びており、それぞれの場合にプレート７６の共通部分に沿って続いている。しかしながら、図７Ｂでは４：１カートリッジプランジャの補剛ウェブは、プランジャロッドの大きさが原因でそのロッド上に延在しない小プランジャロッド用補剛ウェブを有する。後方に向いたラチェット歯８４の組が、各プランジャの下面に形成されている。これらの歯は、各プランジャロッドに沿って後方に延在して、プレート７６の共通部分に沿って続いている。
【００２８】
プランジャは、通常は銃尾が取り外されたとき、アーム１３の間の正面を通して銃の銃床１０内に挿入される。歯８４は、引金レバー１６の上端に回動可能に取り付けられた駆動爪（非図示）の上に乗る。前記爪は一つ又は二つの歯をもっているが、三つ以上の歯をもつことができる。爪の歯は、ばね（非図示）によってプランジャの歯と係合するように付勢される。爪の歯をプランジャとの係合から外すために、解除レバーが取手１４の陰に配置されている。解除レバーを押すことによって、爪の歯はプランジャの歯の進路から下方に回動される。プランジャの歯と爪の歯を相互に係合させることは、当業者によってよく理解される在来の構造のものである。それらは、二元性成分を反対側の端から吐出するために、装填されたカートリッジの銃身の後部の中にプランジャロッドを前進させる手段を構成している。
【００２９】
引金レバー１６を取手の方に握り締めることにより、爪の歯がプランジャラチェットの歯との係合に前進させられて、プランジャを前方へ駆動する。引金の力を軽くすることが、爪の歯をプランジャラチェット歯８４の上で後方へ戻す。引金を再び握り締めることが、プランジャをカートリッジの後部の中に前進させて、カートリッジ出口から粘稠二元性材料を吐出させる。
【００３０】
カートリッジ銃身の各々の比率は、プランジャヘッドがカートリッジ銃身のピストンと整列するそれぞれのプランジャを必要とする。しかしながら、全てのプランジャは、同一間隔のウェブ８２とプランジャ歯８４の配置とを共有する。
【００３１】
同様に、異なるカートリッジ又はカートリッジの組に適合される銃尾は、銃床のための共通の固定配置構造を共有する。従って、異なるカートリッジが、同じ銃床において相互交換可能である。このことは、従来の異なる比率のために別個の銃を使用することに比較して、必要な吐出装置のコストを低下させる。
【００３２】
本技術分野に知識を有する者は、様々な変更及び修正が開示された実施例に対して為され得ることを理解するであろう。本発明は、開示された実施例に特に限定されるものではない。本発明は、特許請求の範囲の請求項の精神及び範囲についてのみ限定される。
【図面の簡単な説明】
【００３３】
【図１Ａ】閉鎖位置の銃尾を有する実施例による吐出銃を示す図である。
【図１Ｂ】図１Ａの吐出銃の切取図である。
【図１Ｃ】カートリッジの挿入のために銃尾が回動されて開放した状態の図１Ａの吐出銃を示す図である。
【図１Ｄ】カートリッジが挿入された状態の図１Ａの吐出銃を示す図である。
【図２Ａ】銃の銃尾の斜視図である。
【図２Ｂ】銃床のサイドアーム部分を内側より見た図である。
【図３Ａ】銃尾の装填プロセスを示す図である。
【図３Ｂ】銃尾の装填プロセスを示す図である。
【図３Ｃ】銃尾の装填プロセスを示す図である。
【図３Ｄ】銃尾の装填プロセスを示す図である。
【図４Ａ】銃尾の取り外しプロセスを示す図である。
【図４Ｂ】銃尾の取り外しプロセスを示す図である。
【図４Ｃ】銃尾の取り外しプロセスを示す図である。
【図５Ａ】銃尾を示す図である。
【図５Ｂ】カートリッジとその銃尾とを示す図である。
【図５Ｃ】カートリッジとその銃尾とを示す図である。
【図６Ａ】別の銃尾を示す図である。
【図６Ｂ】別のカートリッジとその銃尾とを示す図である。
【図６Ｃ】別のカートリッジとその銃尾とを示す図である。
【図７Ａ】カートリッジと対応するプランジャとを示す図である。
【図７Ｂ】カートリッジと対応するプランジャとを示す図である。
【符号の説明】
【００３４】
１０    銃床
１２    銃尾
１３    サイドアーム
１８    カートリッジ
２０    銃身
２２    出口
２４    溝
２６    凹部
２８    主ボス
３１    二次ボス
６０    開口
【図１Ａ】
2006043703.tif 000003
【図１Ｂ】
2006043703.tif 000004
【図１Ｃ】
2006043703.tif 000005
【図１Ｄ】
2006043703.tif 000006
【図２Ａ】
2006043703.tif 000007
【図２Ｂ】
2006043703.tif 000008
【図３Ａ】
2006043703.tif 000009
【図３Ｂ】
2006043703.tif 000010
【図３Ｃ】
2006043703.tif 000011
【図３Ｄ】
2006043703.tif 000012
【図４Ａ】
2006043703.tif 000013
【図４Ｂ】
2006043703.tif 000014
【図４Ｃ】
2006043703.tif 000015
【図５Ａ】
2006043703.tif 000016
【図５Ｂ】
2006043703.tif 000017
【図５Ｃ】
2006043703.tif 000018
【図６Ａ】
2006043703.tif 000019
【図６Ｂ】
2006043703.tif 000020
【図６Ｃ】
2006043703.tif 000021
【図７Ａ】
2006043703.tif 000022
【図７Ｂ】
2006043703.tif 000023